(57)【特許請求の範囲】
【請求項１】
複数の放送局それぞれに設置される放送局端末と、
複数の広告会社それぞれに設置される広告会社端末及び前記複数の放送局端末に接続するセンターサーバと、
を備え、
前記複数の放送局端末それぞれは、当該放送局端末が設置されている前記放送局を特定する放送局識別情報に対応付けられており、
前記複数の広告会社端末それぞれは、当該広告会社端末が設置されている前記広告会社を特定する広告会社識別情報に対応付けられており、
前記放送局端末は、
複数の広告動画データを、前記複数の広告動画データを相互に識別する広告識別情報に対応付けて記憶する広告記憶手段と、
前記広告動画データを削除する旨を示す第１削除指令を、削除対象となる前記広告動画データの前記広告識別情報に対応付けて受信し、受信した前記広告識別情報に対応する前記広告動画データを前記広告記憶手段から削除する広告削除手段と、
前記広告削除手段が削除した前記広告動画データの前記広告識別情報を、前記放送局端末が対応する前記放送局識別情報に対応付けて前記センターサーバに送信する広告識別情報送信手段と、
を備え、
前記センターサーバは、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶する広告情報記憶手段と、
前記放送局端末の前記広告識別情報送信手段から、前記広告識別情報及び前記放送局識別情報を互いに対応付けて受信し、前記広告情報記憶手段に、前記広告動画データが削除されたことを示す削除済情報を、受信した前記広告識別情報及び前記放送局識別情報に対応付けて記憶させる広告情報更新手段と、
前記削除済情報が前記広告情報記憶手段に記憶された前記広告識別情報に対応する前記広告会社識別情報を前記広告情報記憶手段から読み出し、読み出した前記広告会社識別情報に対応する前記広告会社端末に、前記削除済情報が前記広告情報記憶手段に記憶された前記広告識別情報を送信する更新結果送信手段と、
を備える広告管理システム。
【請求項２】
請求項１に記載の広告管理システムにおいて、
前記複数の広告会社端末を含む広告管理システム。
【請求項３】
請求項１又は２に記載の広告管理システムにおいて、
前記センターサーバの前記更新結果送信手段は、一の前記広告識別情報に対応している全ての前記放送局識別情報において前記削除済情報が前記広告情報記憶手段に記憶されたときに、当該一の広告識別情報に対応している前記広告会社識別情報に対応する前記広告会社端末に、前記一の広告識別情報を、当該一の広告識別情報が全ての前記放送局端末から削除されたことを示す全削除済情報に対応付けて送信する広告管理システム。
【請求項４】
請求項１〜３のいずれか一項に記載の広告管理システムにおいて、
前記センターサーバの前記更新結果送信手段は、前記広告情報更新手段が前記削除済情報を前記広告情報記憶手段に記憶させるたびに、新たに記憶された前記削除済情報に対応する前記放送局識別情報及び前記広告識別情報を、当該広告識別情報に対応する前記広告会社端末に送信する広告管理システム。
【請求項５】
請求項１〜４のいずれか一項に記載の広告管理システムにおいて、
前記複数の放送局それぞれには、前記広告動画データを放送すべき契約期間を記憶する営放システムが設けられており、
前記放送局端末の前記広告削除手段は、前記第１削除指令及び前記広告識別情報を前記営放システムから受信する広告管理システム。
【請求項６】
請求項５に記載の広告管理システムにおいて、
少なくとも一つの前記営放システムをさらに備え、
前記広告管理システムを構成する前記営放システムが設けられている前記放送局には、
前記放送局端末から前記広告動画データを取得し、放送のために記憶する広告管理サーバが設けられており、
前記営放システムは、
前記削除対象となっている前記広告動画データが前記広告管理サーバから削除されていることを必要条件として、前記放送局端末の前記広告削除手段に前記第１削除指令及び前記広告識別情報を送信する第１削除指令送信手段と、
を備える広告管理システム。
【請求項７】
複数の放送局それぞれに設置される放送局端末と、複数の広告会社それぞれに設置される複数の広告会社端末それぞれに接続するセンターサーバであって、
前記複数の放送局端末それぞれは、当該放送局端末が設置されている前記放送局を特定する放送局識別情報に対応付けられており、
前記複数の広告会社端末それぞれは、当該広告会社端末が設置されている前記広告会社を特定する広告会社識別情報に対応付けられており、
前記放送局端末は、複数の広告動画データを、前記複数の広告動画データを相互に識別する広告識別情報に対応付けて記憶しており、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶する広告情報記憶手段と、
前記放送局端末から、当該放送局端末から削除された前記広告動画データの前記広告識別情報及び当該放送局端末の前記放送局識別情報を互いに対応付けて受信し、前記広告情報記憶手段に、前記広告動画データが削除されたことを示す削除済情報を、受信した前記広告識別情報及び前記放送局識別情報に対応付けて記憶させる広告情報更新手段と、
前記削除済情報が前記広告情報記憶手段に記憶された前記広告識別情報に対応する前記広告会社識別情報を前記広告情報記憶手段から読み出し、読み出した前記広告会社識別情報に対応する前記広告会社端末に、前記削除済情報が前記広告情報記憶手段に記憶された前記広告識別情報を送信する更新結果送信手段と、
を備えるセンターサーバ。
【請求項８】
複数の放送局それぞれに設置される放送局端末と、複数の広告会社それぞれに設置される複数の広告会社端末それぞれにセンターサーバを接続し、
前記複数の放送局端末それぞれは、当該放送局端末が設置されている前記放送局を特定する放送局識別情報に対応付け、
前記複数の広告会社端末それぞれは、当該広告会社端末が設置されている前記広告会社を特定する広告会社識別情報に対応付け、
前記放送局端末は、複数の広告動画データを、前記複数の広告動画データを相互に識別する広告識別情報に対応付けて記憶し、
前記センターサーバは、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶し、
前記センターサーバは、前記放送局端末から削除された前記広告動画データの前記広告識別情報及び当該放送局端末の前記放送局識別情報を互いに対応付けて受信し、
前記センターサーバは、前記広告動画データが削除されたことを示す削除済情報を、受信した前記広告識別情報及び前記放送局識別情報に対応付けて記憶し、
前記センターサーバは、前記削除済情報が記憶された前記広告識別情報に対応する前記広告会社識別情報を読み出し、読み出した前記広告会社識別情報に対応する前記広告会社端末に、前記削除済情報が記憶された前記広告識別情報を送信する、広告管理方法。
【請求項９】
コンピュータを広告管理用のセンターサーバとして機能させるためのプログラムであって、
前記コンピュータは、複数の放送局それぞれに設置される放送局端末と、複数の広告会社それぞれに設置される複数の広告会社端末それぞれに接続し、
前記複数の放送局端末それぞれは、当該放送局端末が設置されている前記放送局を特定する放送局識別情報に対応付けられており、
前記複数の広告会社端末それぞれは、当該広告会社端末が設置されている前記広告会社を特定する広告会社識別情報に対応付けられており、
前記放送局端末は、複数の広告動画データを、前記複数の広告動画データを相互に識別する広告識別情報に対応付けて記憶しており、
前記コンピュータに、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶する機能と、
前記放送局端末から削除された前記広告動画データの前記広告識別情報及び当該放送局端末の前記放送局識別情報を互いに対応付けて受信する機能と、
前記広告動画データが削除されたことを示す削除済情報を、受信した前記広告識別情報及び前記放送局識別情報に対応付けて記憶する機能と、
前記削除済情報が記憶された前記広告識別情報に対応する前記広告会社識別情報を読み出し、読み出した前記広告会社識別情報に対応する前記広告会社端末に、前記削除済情報が記憶された前記広告識別情報を送信する機能と、
を実現させるプログラム。
【発明の詳細な説明】
【技術分野】
【０００１】
本発明は、放送局から広告として放送される広告動画データを管理する広告管理システム、センターサーバ、広告管理方法、及びプログラムに関する。
【背景技術】
【０００２】
放送局で広告として放送される広告動画データは、広告動画データを制作した制作会社で一つずつビデオテープに記録される。そして広告動画データは、ビデオテープを媒体として広告会社から放送局に納品される。
【０００３】
また契約期間が終了した広告動画データは、著作権上、広告会社に返却する必要がある。従来は、ビデオテープを返却することにより、広告動画データを返却していた。
【０００４】
一方、近年は、ネットワークを介して映画等のコンテンツをレンタルする技術の開発が進んでいる。例えば特許文献１には、レンタル期間を経過した場合に利用者端末からコンテンツのデータを消去することが記載されている。
【先行技術文献】
【特許文献】
【０００５】
【特許文献１】特開２００３−２８８５３８号公報
【発明の概要】
【発明が解決しようとする課題】
【０００６】
広告動画データの管理を効率化するためには、広告動画データの媒体をオンラインにすることが望まれる。広告動画データの媒体をオンラインにした場合、契約期間が終了した広告動画データをどのように処理するかが問題になる。
【０００７】
本発明の目的は、契約期間が終了した広告動画データを削除して、その削除結果を管理する広告管理システム、センターサーバ、広告管理方法、及びプログラムを提供することにある。
【課題を解決するための手段】
【０００８】
本発明によれば、複数の放送局それぞれに設置される放送局端末と、
複数の広告会社それぞれに設置される広告会社端末及び前記複数の放送局端末に接続するセンターサーバと、
を備え、
前記複数の放送局端末それぞれは、当該放送局端末が設置されている前記放送局を特定する放送局識別情報に対応付けられており、
前記複数の広告会社端末それぞれは、当該広告会社端末が設置されている前記広告会社を特定する広告会社識別情報に対応付けられており、
前記放送局端末は、
複数の広告動画データを、前記複数の広告動画データを相互に識別する広告識別情報に対応付けて記憶する広告記憶手段と、
前記広告動画データを削除する旨を示す第１削除指令を、削除対象となる前記広告動画データの前記広告識別情報に対応付けて受信し、受信した前記広告識別情報に対応する前記広告動画データを前記広告記憶手段から削除する広告削除手段と、
前記広告削除手段が削除した前記広告動画データの前記広告識別情報を、前記放送局端末が対応する前記放送局識別情報に対応付けて前記センターサーバに送信する広告識別情報送信手段と、
を備え、
前記センターサーバは、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶する広告情報記憶手段と、
前記放送局端末の前記広告識別情報送信手段から、前記広告識別情報及び前記放送局識別情報を互いに対応付けて受信し、前記広告情報記憶手段に、前記広告動画データが削除されたことを示す削除済情報を、受信した前記広告識別情報及び前記放送局識別情報に対応付けて記憶させる広告情報更新手段と、
前記削除済情報が前記広告情報記憶手段に記憶された前記広告識別情報に対応する前記広告会社識別情報を前記広告情報記憶手段から読み出し、読み出した前記広告会社識別情報に対応する前記広告会社端末に、前記削除済情報が前記広告情報記憶手段に記憶された前記広告識別情報を送信する更新結果送信手段と、
を備える広告管理システムが提供される。
【０００９】
本発明によれば、複数の放送局それぞれに設置される放送局端末と、複数の広告会社それぞれに設置される複数の広告会社端末それぞれに接続するセンターサーバであって、
前記複数の放送局端末それぞれは、当該放送局端末が設置されている前記放送局を特定する放送局識別情報に対応付けられており、
前記複数の広告会社端末それぞれは、当該広告会社端末が設置されている前記広告会社を特定する広告会社識別情報に対応付けられており、
前記放送局端末は、複数の広告動画データを、前記複数の広告動画データを相互に識別する広告識別情報に対応付けて記憶しており、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶する広告情報記憶手段と、
前記放送局端末から、当該放送局端末から削除された前記広告動画データの前記広告識別情報及び当該放送局端末の前記放送局識別情報を互いに対応付けて受信し、前記広告情報記憶手段に、前記広告動画データが削除されたことを示す削除済情報を、受信した前記広告識別情報及び前記放送局識別情報に対応付けて記憶させる広告情報更新手段と、
前記削除済情報が前記広告情報記憶手段に記憶された前記広告識別情報に対応する前記広告会社識別情報を前記広告情報記憶手段から読み出し、読み出した前記広告会社識別情報に対応する前記広告会社端末に、前記削除済情報が前記広告情報記憶手段に記憶された前記広告識別情報を送信する更新結果送信手段と、
を備えるセンターサーバが提供される。
【００１０】
本発明によれば、複数の放送局それぞれに設置される放送局端末と、複数の広告会社それぞれに設置される複数の広告会社端末それぞれにセンターサーバを接続し、
前記複数の放送局端末それぞれは、当該放送局端末が設置されている前記放送局を特定する放送局識別情報に対応付け、
前記複数の広告会社端末それぞれは、当該広告会社端末が設置されている前記広告会社を特定する広告会社識別情報に対応付け、
前記放送局端末に、複数の広告動画データを、前記複数の広告動画データを相互に識別する広告識別情報に対応付けて記憶させ、
前記センターサーバに、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶させ、
前記センターサーバに、前記放送局端末から削除された前記広告動画データの前記広告識別情報及び当該放送局端末の前記放送局識別情報を互いに対応付けて受信させ、
前記センターサーバに、前記広告動画データが削除されたことを示す削除済情報を、受信した前記広告識別情報及び前記放送局識別情報に対応付けて記憶させ、
前記センターサーバに、前記削除済情報が記憶された前記広告識別情報に対応する前記広告会社識別情報を読み出させ、読み出させた前記広告会社識別情報に対応する前記広告会社端末に、前記削除済情報が記憶された前記広告識別情報を送信させる、広告管理方法が提供される。
【００１１】
本発明によれば、コンピュータを広告管理用のセンターサーバとして機能させるためのプログラムであって、
前記コンピュータは、複数の放送局それぞれに設置される放送局端末と、複数の広告会社それぞれに設置される複数の広告会社端末それぞれに接続し、
前記複数の放送局端末それぞれは、当該放送局端末が設置されている前記放送局を特定する放送局識別情報に対応付けられており、
前記複数の広告会社端末それぞれは、当該広告会社端末が設置されている前記広告会社を特定する広告会社識別情報に対応付けられており、
前記放送局端末は、複数の広告動画データを、前記複数の広告動画データを相互に識別する広告識別情報に対応付けて記憶しており、
前記コンピュータに、
前記広告動画データ別に、前記広告識別情報と、前記広告動画データを記憶している前記放送局端末の前記放送局識別情報と、前記広告動画データを管理している前記広告会社の前記広告会社識別情報とを互いに対応付けて記憶する機能と、
前記放送局端末から削除された前記広告動画データの前記広告識別情報及び当該放送局端末の前記放送局識別情報を互いに対応付けて受信する機能と、
前記広告動画データが削除されたことを示す削除済情報を、前記広告識別情報受信手段が受信した前記広告識別情報及び前記放送局識別情報に対応付けて記憶する機能と、
前記削除済情報が記憶された前記広告識別情報に対応する前記広告会社識別情報を読み出し、読み出した前記広告会社識別情報に対応する前記広告会社端末に、前記削除済情報が記憶された前記広告識別情報を送信する機能と、
を実現させるプログラムが提供される。
【発明の効果】
【００１２】
本発明によれば、契約期間が終了した広告動画データを削除して、その削除結果を管理することができる。
【図面の簡単な説明】
【００１３】
【図１】第１の実施形態に係る広告管理システムの構成を示すブロック図である。
【図２】放送局端末および営放システムの機能構成を、広告管理サーバと共に示すブロック図である。
【図３】放送局端末の広告記憶部が記憶しているデータをテーブル形式で示す図である。
【図４】営放システムのメタデータ記憶部が記憶しているデータをテーブル形式で示す図である。
【図５】センターサーバの機能構成を示すブロック図である。
【図６】広告情報記憶部が記憶しているデータをテーブル形式で示す図である。
【図７】センターサーバが制作会社端末から広告動画データを受信した後の広告管理システムの動作を示すフローチャートである。
【図８】広告管理サーバから広告動画データを削除するときの広告管理システムの動作を示すフローチャートである。
【図９】放送局端末から広告動画データを削除するときの広告管理システムの動作を示すフローチャートである。
【図１０】第２の実施形態に係る広告管理システムの動作を示すフローチャートである。
【図１１】第３の実施形態に係る広告管理システムの動作を示すフローチャートである。
【図１２】第４の実施形態に係る広告管理システムの動作を示すフローチャートである。
【図１３】第５の実施形態に係る広告管理システムの動作を示すフローチャートである。
【発明を実施するための形態】
【００１４】
以下、本発明の実施の形態について、図面を用いて説明する。尚、すべての図面において、同様な構成要素には同様の符号を付し、適宜説明を省略する。
【００１５】
（第１の実施形態）
図１は、第１の実施形態に係る広告管理システムの構成を示すブロック図である。この広告管理システムは、放送局端末１００及びセンターサーバ２００を備えている。放送局は複数あり、放送局端末１００は複数の放送局それぞれに設置されている。センターサーバ２００は、複数の広告会社端末３００及び複数の放送局端末１００それぞれに接続している。広告会社端末３００は複数の広告会社それぞれに設置されている。
【００１６】
複数の放送局端末１００それぞれは、その放送局端末１００が設置されている放送局を特定する放送局識別情報に対応付けられている。また複数の広告会社端末３００それぞれは、その広告会社端末３００が設置されている広告会社を特定する広告会社識別情報に対応付けられている。
【００１７】
放送局端末１００は、複数の広告動画データを、複数の広告動画データを相互に識別する広告識別情報に対応付けて記憶している。そして放送局端末１００は、広告動画データを削除する旨を示す第１削除指令を、削除対象となる広告動画データの広告識別情報に対応付けて受信すると、受信した広告識別情報に対応する広告動画データを削除する。そして放送局端末１００は、削除した広告動画データの広告識別情報を、放送局端末１００に対応する放送局識別情報に対応付けてセンターサーバ２００に送信する。
【００１８】
センターサーバ２００は、広告動画データ別に、広告識別情報と、その広告動画データを記憶している放送局端末１００の放送局識別情報と、その広告動画データを管理している広告会社の広告会社識別情報とを互いに対応付けて記憶している。そしてセンターサーバ２００は、放送局端末１００から広告識別情報及び放送局識別情報を互いに対応付けて受信すると、広告動画データが削除されたことを示す削除済情報を、受信した広告識別情報及び放送局識別情報に対応付けて記憶する。そしてセンターサーバ２００は、削除済情報が記憶された広告識別情報に対応する広告会社識別情報を読み出し、読み出した広告会社識別情報に対応する広告会社端末に、削除済情報が記憶された広告識別情報を送信する。以下、詳細に説明する。
【００１９】
本実施形態に係る広告管理システムは、さらに制作会社端末４００を備えている。制作会社端末４００は複数の制作会社それぞれに設置されており、センターサーバ２００に接続している。制作会社で作成された広告動画データは、まず、制作会社端末４００を介してセンターサーバ２００に送信され、センターサーバ２００に記憶される。
【００２０】
また各放送局には、放送局端末１００の他に、営放システム５００及び広告管理サーバ６００を備えている。営放システム５００は、広告動画データを放送すべき契約期間を記憶しており、放送局端末１００に広告動画データの第１削除指令を送信する。また営放システム５００は、放送スケジュールなども管理している。
【００２１】
広告管理サーバ６００は、営放システム５００からの指示に基づいて放送局端末１００から広告動画データを取得する。広告管理サーバ６００に記憶されている広告動画データは、放送時に使用される。また契約期間が過ぎた広告動画データは、営放システム５００からの指示に基づいて、広告管理サーバ６００から削除される。
【００２２】
なおセンターサーバ２００と各端末は、専用線で接続されていてもよいし、インターネット等の公衆通信網を介して接続されていてもよい。また本実施形態において、複数の広告会社端末３００及び営放システム５００も、広告管理システムの一部となっている。
【００２３】
図２は、放送局内で使用される放送局端末１００および営放システム５００の機能構成を、広告管理サーバ６００と共に示すブロック図である。
【００２４】
放送局端末１００は、広告受信部１１０、広告記憶部１２０、メタデータ送信部１３０、広告送信部１４０、広告削除部１５０、及び広告識別情報送信部１６０を備えている。広告受信部１１０は、新たに使用される広告動画データをメタデータとともにセンターサーバ２００から受信する。メタデータは、その広告動画データに関する各種の情報であり、例えば広告識別情報、その広告のタイトル、広告動画データの再生時間、広告主を特定する情報、広告会社を特定する情報（例えば広告会社識別情報）、及び制作会社を特定する情報を含んでいる。広告記憶部１２０は、広告受信部１１０が受信した広告動画データ及びメタデータを互いに対応付けて記憶している。メタデータ送信部１３０は、広告記憶部１２０に新たに記憶された広告動画データのメタデータを、営放システム５００に送信する。広告送信部１４０は、広告管理サーバ６００からの要求に応じて、広告記憶部１２０が記憶している広告動画データを広告管理サーバ６００に送信する。
【００２５】
広告削除部１５０は、営放システム５００から第１削除指令及び広告識別情報を受信し、受信した広告識別情報に対応する広告動画データを広告記憶部１２０から削除する。広告識別情報送信部１６０は、広告削除部１５０が削除した広告動画データの広告識別情報を、センターサーバ２００に送信する。
【００２６】
また営放システム５００は、メタデータ記憶部５１０、メタデータ受信部５２０、指令送信部５３０、及び第１削除指令送信部５４０を備えている。メタデータ記憶部５１０は、複数の広告動画データのメタデータ、及びその広告動画データを広告管理サーバ６００が取得済みか否かを示す情報を記憶している。メタデータ記憶部５１０が記憶しているメタデータは、放送局端末１００から取得したデータではなく、例えば広告ＥＤＩセンターが提供しているＥＤＩ（Electronic Data Interchange）データから取得したデータである。またメタデータ記憶部５１０は、広告動画データ別に契約期間を示す情報を記憶している。この契約期間を示す情報は、例えば上記したＥＤＩデータに含まれている。
【００２７】
メタデータ受信部５２０は、放送局端末１００のメタデータ送信部１３０から送信されてきたメタデータを受信する。指令送信部５３０は、メタデータ受信部５２０が受信したメタデータと、メタデータ記憶部５１０が記憶しているメタデータとが一致したときに、そのメタデータに対応する広告動画データを広告管理サーバ６００に取得させる。
【００２８】
第１削除指令送信部５４０は、契約期間が終了した広告動画データを削除する旨の第１削除指令を広告削除部１５０に送信する。
【００２９】
営放システム５００は、さらに入力部及び表示部を備えている。表示部は、情報の表示を行うことにより、営放システム５００の管理者に必要な情報を認識させる。入力部は、営放システム５００の管理者が営放システム５００に各種の情報を入力するときに用いられる。
【００３０】
なお、放送局端末１００及び営放システム５００の動作の詳細については、フローチャートを用いて後述する。
【００３１】
図３は、放送局端末１００の広告記憶部１２０が記憶しているデータをテーブル形式で示す図である。広告記憶部１２０は、広告動画データ、メタデータ（広告識別情報を含む）、及びその広告動画データが広告記憶部１２０から削除済みであるか否かを示す情報を、互いに対応付けて記憶している。本図に示す例においてメタデータには、その広告動画データを管理している広告会社の広告会社識別情報、タイトル、及び広告動画データの再生時間が含まれている。
【００３２】
図４は、営放システム５００のメタデータ記憶部５１０が記憶しているデータをテーブル形式で示す図である。メタデータ記憶部５１０は、広告識別情報に対応付けて、その広告識別情報が示す広告動画データの広告識別情報以外のメタデータ、契約期間、広告管理サーバ６００が記憶済みであるか否かを示す情報、放送局端末１００から広告動画データが削除済みであるか否かを示す情報、及び広告管理サーバ６００から広告動画データが削除済みであるか否かを示す情報を記憶している。なおメタデータ記憶部５１０は、さらに放送局端末１００が広告動画データを記憶済みであるか否かを示す情報を、その広告動画データの広告識別情報に対応付けて記憶していてもよい。
【００３３】
図５は、センターサーバ２００の機能構成を示すブロック図である。センターサーバ２００は、広告受信部２１０、広告情報記憶部２２０、広告送信部２３０、広告情報更新部２４０、及び更新結果送信部２５０を備えている。広告受信部２１０は、制作会社端末４００から、広告動画データを、その広告動画データのメタデータに対応付けて受信する。上記したようにメタデータには、広告識別情報が含まれている。
【００３４】
広告情報記憶部２２０は、広告受信部２１０が受信した広告動画データを広告識別情報に対応付けて記憶する。また広告情報記憶部２２０は、広告識別情報を、その広告動画データを管理している広告会社の広告会社識別情報と、その広告動画データを送信すべき放送局の放送局識別情報に対応付けて記憶している。これら広告会社識別情報及び放送局識別情報は、予め広告情報記憶部２２０に記憶されている。ただしこれら広告会社識別情報及び放送局識別情報は、広告受信部２１０が受信するメタデータに含まれていてもよい。
【００３５】
広告送信部２３０は、広告動画データをメタデータに対応付けて放送局端末１００に送信する。広告情報更新部２４０は、放送局端末１００の広告識別情報送信部１６０から、その放送局端末１００で削除された広告動画データの広告識別情報を、その放送局端末１００の放送局識別情報に対応付けて受信する。そして広告情報更新部２４０は、広告情報記憶部２２０を更新することにより、広告動画データが削除されたことを示す削除済情報を、受信した広告識別情報及び放送局識別情報に対応付けて記憶させる。更新結果送信部２５０は、広告情報更新部２４０による広告情報記憶部２２０の更新結果を広告会社端末３００に送信する。
【００３６】
図６は、広告情報記憶部２２０が記憶しているデータをテーブル形式で示す図である。広告情報記憶部２２０は、広告識別情報に対応付けて、その広告識別情報に対応する広告動画データを管理する広告会社の広告会社識別情報、その広告動画データのメタデータ（タイトル及び再生時間を含む）、及び、広告動画データを送信すべき放送局の放送局識別情報を記憶している。また広告情報記憶部２２０は、広告動画データを制作会社端末４００から受信している場合には、その広告動画データを広告識別情報に対応付けて記憶している。さらに広告情報記憶部２２０は、広告動画データが放送局端末１００から削除された場合には、その広告動画データの広告識別情報及びその放送局端末１００の放送局識別情報の組み合わせに対応付けて、削除済情報（例えば削除済フラグ）を記憶する。
【００３７】
なお、図２に示した放送局端末１００及び営放システム５００の各構成要素、並びに図５に示したセンターサーバ２００の各構成要素は、ハードウエア単位の構成ではなく、機能単位のブロックを示している。放送局端末１００、センターサーバ２００、及び営放システム５００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例がある。また制作会社端末４００及び広告管理サーバ６００についても同様である。
【００３８】
図７は、図１に示した広告管理システムにおいて、センターサーバ２００が制作会社端末４００から広告動画データを受信した後の動作を示すフローチャートである。センターサーバ２００の広告受信部２１０は、広告動画データ及びそのメタデータを制作会社端末４００から受信する（ステップＳ１０）。メタデータには、広告識別情報が含まれている。広告受信部２１０は、受信した広告動画データを、受信した広告識別情報に対応付けて広告情報記憶部２２０に記憶させる（ステップＳ２０）。そして広告受信部２１０は、受信した広告識別情報を広告送信部２３０に出力する。
【００３９】
広告送信部２３０は、広告受信部２１０から受信した広告識別情報に対応する放送局識別情報、広告動画データ、及びメタデータを、広告情報記憶部２２０から読み出す（ステップＳ３０）。読み出したメタデータには、広告識別情報が含まれている。そして広告送信部２３０は、読み出した広告動画データ及びメタデータを、読み出した放送局識別情報に対応する放送局端末１００に送信する（ステップＳ４０）。
【００４０】
放送局端末１００の広告受信部１１０は、センターサーバ２００の広告送信部２３０から、広告動画データ及びメタデータを受信すると、受信した広告動画データ及びメタデータを広告記憶部１２０に記憶させる（ステップＳ５０）。そしてメタデータ送信部１３０は、定期的に、又は営放システム５００から要求があったときに、新たに広告記憶部１２０に記憶された広告識別情報を、営放システム５００に送信する（ステップＳ６０）。このときメタデータ送信部１３０は、広告識別情報以外のメタデータも、営放システム５００に送信する。
【００４１】
営放システム５００のメタデータ受信部５２０は、放送局端末１００のメタデータ送信部１３０から広告識別情報を受信する。次いで指令送信部５３０は、メタデータ記憶部５１０に接続し、メタデータ受信部５２０が受信した広告識別情報に対応する広告動画データが広告管理サーバ６００に記憶済みであるか否かを確認する（ステップＳ７０）。記憶されていない場合（ステップＳ７０：Ｙｅｓ）、指令送信部５３０は、広告管理サーバ６００に、ステップＳ６０で送信された広告識別情報を、この広告識別情報に対応する広告動画データを放送局端末１００から取得する旨を示す取得指令と共に、広告管理サーバ６００に送信する（ステップＳ８０）。
【００４２】
またメタデータ受信部５２０は、メタデータ送信部１３０から受信した広告識別情報に対応する広告動画データが広告管理サーバ６００に記憶済みである場合、エラー処理を行う（ステップＳ９０）。
【００４３】
なお、指令送信部５４０は、ステップＳ８０において、受信したメタデータの全てがメタデータ記憶部５１０に記憶されているメタデータと一致することを条件として、広告識別情報及び取得指令を広告管理サーバ６００に送信するようにしてもよい。
【００４４】
そして広告管理サーバ６００は、広告識別情報を取得指令に対応付けて受信すると、受信した広告識別情報を、その広告識別情報に対応する広告動画データを要求する旨を示す要求情報と共に、放送局端末１００の広告送信部１４０に送信する。広告送信部１４０は、受信した広告識別情報に対応する広告動画データを広告記憶部１２０から読みだして広告管理サーバ６００に送信する。広告管理サーバ６００は、受信した広告動画データを広告識別情報に対応付けて記憶する。
【００４５】
図８は、広告管理サーバ６００から広告動画データを削除するときの広告管理システムの動作を示すフローチャートである。
【００４６】
まず営放システム５００の指令送信部５３０は、定期的に、契約期間が過ぎた広告動画データの広告識別情報及びそのメタデータを選択して表示部に表示させる（ステップＳ２１０）。営放システム５００の管理者は、表示部に表示された情報を認識し、入力部を介して削除すべき広告動画データの広告識別情報を選択又は入力する（ステップＳ２２０）。すると指令送信部５３０は、広告管理サーバ６００に、ステップＳ２２０で選択又は入力された広告識別情報を、第２削除指令とともに送信する（ステップＳ２３０）。
【００４７】
広告管理サーバ６００は、営放システム５００から第２削除指令及び広告識別情報を受信すると、受信した広告識別情報に対応する広告動画データを削除する（ステップＳ２４０）。そして広告管理サーバ６００は、削除結果を示す情報を営放システム５００の指令送信部５３０に送信する（ステップＳ２５０）。指令送信部５３０は、ステップＳ２３０において送信した広告識別情報に対応する広告動画データが広告管理サーバ６００から削除された旨を示す情報を、メタデータ記憶部５１０に記憶させる（ステップＳ２６０）。
【００４８】
図９は、放送局端末１００から広告動画データを削除するときの広告管理システムの動作を示すフローチャートである。
【００４９】
まず営放システム５００の第１削除指令送信部５４０は、定期的に、契約期間が過ぎた広告動画データの広告識別情報及びそのメタデータを選択して表示部に表示させる（ステップＳ３１０）。営放システム５００の管理者は、表示部に表示された情報を認識し、入力部を介して削除すべき広告動画データの広告識別情報を選択又は入力する（ステップＳ３２０）。すると第１削除指令送信部５４０は、メタデータ記憶部５１０にアクセスし、選択された広告識別情報に対応する広告動画データが広告管理サーバ６００から削除されているかどうかを確認する（ステップＳ３３０）。削除されていない場合（ステップＳ３３０：Ｎｏ）、第１削除指令送信部５４０はエラー処理を行う（ステップＳ３４０）。
【００５０】
一方、その広告動画データが広告管理サーバ６００から削除されている場合（ステップＳ３３０：Ｙｅｓ）、第１削除指令送信部５４０は、放送局端末１００に、ステップＳ３２０で選択又は入力された広告識別情報を、第１削除指令とともに送信する（ステップＳ３５０）。
【００５１】
放送局端末１００の広告削除部１５０は、営放システム５００の第１削除指令送信部５４０から第１削除指令及び広告識別情報を受信すると、受信した広告識別情報に対応する広告動画データを広告記憶部１２０から削除する（ステップＳ３６０）とともに、広告記憶部１２０に、その広告動画データが削除済みであることを示す情報を記憶させる。そして広告削除部１５０は、削除結果を示す情報を営放システム５００の第１削除指令送信部５４０に送信する（ステップＳ３７０）。第１削除指令送信部５４０は、ステップＳ３５０において送信した広告識別情報に対応する広告動画データが放送局端末１００から削除された旨を示す情報を、メタデータ記憶部５１０に記憶させる（ステップＳ３８０）。
【００５２】
また放送局端末１００の広告識別情報送信部１６０は、削除した広告動画データの広告識別情報を、その放送局端末１００の放送局識別情報と、削除済みであることを示す情報とに対応付けて、センターサーバ２００に送信する（ステップＳ３９０）。
【００５３】
センターサーバ２００の広告情報更新部２４０は、放送局端末１００から広告識別情報及び放送局識別情報を、削除済みであることを示す情報に対応付けて受信すると、広告情報記憶部２２０を更新する。具体的には、受信した広告識別情報及び放送局識別情報の組み合わせに対応して、削除済みであることを示す削除済情報を広告情報記憶部２２０に記憶させる（ステップＳ４００）。そして更新結果送信部２５０は、広告情報更新部２４０が削除済情報を広告情報記憶部２２０に記憶させるたびに、新たに記憶された削除済情報に対応する広告会社識別情報を広告情報記憶部２２０から読み出す。そして更新結果送信部２５０は、読み出した広告会社識別情報に対応する広告会社端末３００に、広告情報更新部２４０が新たに記憶した削除済情報に対応する放送局識別情報及び広告識別情報を送信する（ステップＳ４１０）。
【００５４】
次に、本実施形態の作用及び効果について説明する。本実施形態によれば、放送局端末１００から広告動画データが削除されると、削除された広告動画データに対応する広告識別情報が、その放送局端末１００の放送局識別情報に対応付けてセンターサーバ２００に送信される。従って、契約期間が終了した広告動画データが放送局端末１００から削除されたか否かを、センターサーバ２００で管理することができる。
【００５５】
また各広告会社は、それぞれの広告会社端末３００にセンターサーバ２００から送信されてくる情報により、いずれの放送局からいずれの広告動画データが削除されたかを把握することができる。
【００５６】
また放送局端末１００は、営放システム５００から第１削除指令を受信したときに広告動画データを削除する。営放システム５００は、広告管理サーバ６００からその広告動画データが削除されたことを必要条件として、放送局端末１００に第１削除指令を送信する。従って、誤って広告管理サーバ６００から広告動画データが削除されても、放送局端末１００に広告動画データが残っていることがあるため、広告管理サーバ６００に広告動画データを再び記憶させることができる。
【００５７】
（第２の実施形態）
図１０は、第２の実施形態に係る広告管理システムの動作を示すフローチャートである。本実施形態に係る広告管理システムは、営放システム５００が第２削除指令を送信すると同時に第１削除指令を送信する点を除いて、第１の実施形態に係る広告管理システムと同様である。すなわち図１０に示した処理は、第１の実施形態において図８に示した処理及び図９に示した処理をあわせたものに対応している。
【００５８】
まず営放システム５００の第１削除指令送信部５４０は、定期的に、契約期間が過ぎた広告動画データの広告識別情報及びそのメタデータを選択して表示部に表示させる（ステップＳ３１０）。営放システム５００の管理者は、表示部に表示された情報を認識し、入力部を介して削除すべき広告動画データの広告識別情報を選択又は入力する（ステップＳ３２０）。
【００５９】
すると指令送信部５３０は、広告管理サーバ６００に、ステップＳ３２０で選択又は入力された広告識別情報を、第２削除指令とともに送信する（ステップＳ３２２）。
【００６０】
広告管理サーバ６００は、営放システム５００から第２削除指令及び広告識別情報を受信すると、受信した広告識別情報に対応する広告動画データを削除する（ステップＳ３２４）。そして広告管理サーバ６００は、削除結果を示す情報を営放システム５００の指令送信部５３０に送信する（ステップＳ３２６）。指令送信部５３０は、ステップＳ２３０において送信した広告識別情報に対応する広告動画データが広告管理サーバ６００から削除された旨を示す情報を、メタデータ記憶部５１０に記憶させる（ステップＳ３２８）。
【００６１】
また第１削除指令送信部５４０は、放送局端末１００に、ステップＳ３２０で選択又は入力された広告識別情報を、第１削除指令とともに送信する（ステップＳ３５０）。
【００６２】
これ以降の処理は、第１の実施形態において図９に示した処理と同様である（ステップＳ３６０〜ステップＳ４１０）ため、説明を省略する。
【００６３】
本実施形態によっても、契約期間が終了した広告動画データが放送局端末１００から削除されたか否かを、センターサーバ２００で管理することができる。また各広告会社は、それぞれの広告会社端末３００にセンターサーバ２００から送信されてくる情報により、いずれの放送局からいずれの広告動画データが削除されたかを把握することができる。
【００６４】
（第３の実施形態）
図１１は、第３の実施形態に係る広告管理システムの動作を示すフローチャートである。本実施形態に係る広告管理システムは、営放システム５００の第１削除指令送信部５４０が、定期的に、契約期間から一定期間経過した広告識別情報を選択して表示部に表示させる（ステップＳ３１２）点を除いて、第２の実施形態に係る広告管理システムと同様である。
本実施形態によっても、第１の実施形態と同様の効果を得ることができる。
【００６５】
（第４の実施形態）
図１２は、第４の実施形態に係る広告管理システムの動作を示すフローチャートである。本実施形態に係る広告管理システムは、センターサーバ２００が広告会社端末３００に放送局識別情報及び広告識別情報を送信するタイミングを除いて、第１の実施形態に係る広告管理システムと構成及び動作が同様である。
【００６６】
図１２は、第１の実施形態における図９に対応している。そして本図に示す処理は、センターサーバ２００の広告情報記憶部２２０を更新する処理（ステップＳ４００）までは、図９に示す処理と同様である。
【００６７】
センターサーバ２００の広告情報更新部２４０は、放送局端末１００から広告識別情報及び放送局識別情報を、削除済みであることを示す情報に互いに対応付けて受信する（ステップＳ３９０）と、広告情報記憶部２２０を更新する（ステップＳ４００）。すると更新結果送信部２５０は、広告情報記憶部２２０にアクセスし、ステップＳ３９０において放送局端末１００から受信した広告識別情報に対応する全ての放送局識別情報について、削除済情報が記憶されているかどうか、すなわちその広告識別情報に対応する広告動画データが全ての放送局端末１００から削除されているか否かを確認する（ステップＳ４０５）。そして全ての放送局端末１００から削除されている場合（ステップＳ４０５：Ｙｅｓ）、更新結果送信部２５０は、新たに記憶された削除済情報に対応する広告会社識別情報を広告情報記憶部２２０から読み出す。そして更新結果送信部２５０は、読み出した広告会社識別情報に対応する広告会社端末３００に、広告情報更新部２４０が新たに記憶した削除済情報に対応する広告識別情報を、その広告識別情報に対応する広告動画データが全ての放送局端末１００から削除されたことを示す全削除情報に対応付けて送信する（ステップＳ４１０）。
【００６８】
本実施形態によっても、第１の実施形態と同様の効果を得ることができる。また広告会社端末３００には、全ての放送局において広告動画データが削除されたときに、その広告動画データの広告識別情報が送信される。従って、広告会社における広告動画データの管理が単純化される。
【００６９】
（第５の実施形態）
図１３は、第５の実施形態に係る広告管理システムの動作を示すフローチャートである。本実施形態に係る広告管理システムは、広告動画データの削除処理のトリガーが広告会社端末３００から送信される点を除いて、第２の実施形態に係る広告管理システムと同様の構成である。
【００７０】
本実施形態において、広告会社端末３００の管理者は、広告会社端末３００に、放送局端末１００から削除すべき広告動画データの広告識別情報を入力する。すると広告会社端末３００は、入力された広告識別情報をセンターサーバ２００に送信する。そしてセンターサーバ２００は、広告会社端末３００から受信した広告識別情報を、放送局端末１００に送信する（ステップＳ３０２）。
【００７１】
放送局端末１００は、受信した広告識別情報を、営放システム５００の第１削除指令送信部５４０に送信する（ステップＳ３０４）。第１削除指令送信部５４０は、放送局端末１００から受信した広告識別情報を、削除処理を行うべき広告動画データの広告識別情報と認識し、ステップＳ３２２，Ｓ３５０の処理を行う。
【００７２】
これ以降の処理は、第２の実施形態と同様であるため、説明を省略する。なおステップＳ３０２，Ｓ３０４，Ｓ３２２のいずれかのタイミングにおいて、センターサーバ２００、放送局端末１００、及び営放システム５００のいずれかが、送信された広告識別情報に対応する契約期間が満了しているか否かを確認し、満了していない場合にエラー処理を行ってもよい。この場合、センターサーバ２００、放送局端末１００、及び営放システム５００のうちエラー処理を行う装置は、契約期間を示す情報を広告識別情報に対応付けて記憶している。
【００７３】
本実施形態によっても、第２の実施形態と同様の効果を得ることができる。また、広告会社が、広告動画データを放送局端末１００から削除するか否かを決めることができる。
【００７４】
以上、図面を参照して本発明の実施形態について述べたが、これらは本発明の例示であり、上記以外の様々な構成を採用することもできる。
【符号の説明】
【００７５】
１００ 放送局端末
１１０ 広告受信部
１２０ 広告記憶部
１３０ メタデータ送信部
１４０ 広告送信部
１５０ 広告削除部
１６０ 広告識別情報送信部
２００ センターサーバ
２１０ 広告受信部
２２０ 広告情報記憶部
２３０ 広告送信部
２４０ 広告情報更新部
２５０ 更新結果送信部
３００ 広告会社端末
４００ 制作会社端末
５００ 営放システム
５１０ メタデータ記憶部
５２０ メタデータ受信部
５３０ 指令送信部
５４０ 第１削除指令送信部
６００ 広告管理サーバ
【図１】
0005534433.tif 000002
【図２】
0005534433.tif 000003
【図３】
0005534433.tif 000004
【図４】
0005534433.tif 000005
【図５】
0005534433.tif 000006
【図６】
0005534433.tif 000007
【図７】
0005534433.tif 000008
【図８】
0005534433.tif 000009
【図９】
0005534433.tif 000010
【図１０】
0005534433.tif 000011
【図１１】
0005534433.tif 000012
【図１２】
0005534433.tif 000013
【図１３】
0005534433.tif 000014